(57)【要約】【課題】基板に、その表面を覆う表皮材を、弛みやしわの発生を防止するとともに、側方へのずれを防止して緊密に、かつ容易に取付けうるようにした、椅子の基板への表皮材の取付方法を提供する。【解決手段】表皮材１１の左右両側部の折り返し部１１ｄを長手方向に伸長可能とし、この左右の折り返し部１１ｄを伸長させることにより、基板１０に、表皮材１１を、その周囲の折り返し部により基板１０の裏面外周部を覆うように表面側より装着し、ついで、左右両側部の折り返し部１１ｄにおける少なくとも基板１０の屈曲部と対向する部分の裏面を、基板支持フレーム９の左右両側部における表面側に突出する突部により、表面側に向かって押圧して、基板１０を基板支持フレーム９に取付ける。【選択図】  図７
2014018600.tif 000002
【特許請求の範囲】
【請求項１】
脚体またはそれに設けた支持体に支持された基板支持フレームと、この基板支持フレームの表面側に取付けられ、側面視において中間部が表面側に向かって凸状に屈曲された基板と、この基板の表面を覆う面状部の周縁に、基板の外周部とそれに連続する裏面の一部を覆う、裏面側に折り返された折り返し部を有する表皮材とを備える椅子における前記基板への表皮材の取付方法であって、
前記表皮材の左右両側部の折り返し部を長手方向に伸長可能とし、この左右の折り返し部を伸長させることにより、基板に、表皮材を、その周囲の折り返し部により基板の裏面外周部を覆うように表面側より装着し、ついで、左右両側部の折り返し部における少なくとも前記基板の屈曲部と対向する部分の裏面を、前記基板支持フレームの左右両側部における表面側に突出する突部により、表面側に向かって押圧して、前記基板を基板支持フレームに取付けることを特徴とする椅子の基板への表皮材の取付方法。
【請求項２】
表皮材における左右両側部の折り返し部を除いた部分の折り返し部を、伸縮不能としてなる請求項１に記載の椅子の基板への表皮材の取付方法。
【請求項３】
表皮材における左右両側部の折り返し部を除いた部分の折り返し部に、伸び止め部材を取付けることにより、その部分を伸縮不能としてなる請求項２に記載の椅子の基板への表皮材の取付方法。
【請求項４】
伸び止め部材を、合成樹脂製の伸び止めテープまたは伸び止め板よりなるものとした請求項３に記載の椅子の基板への表皮材の取付方法。
【請求項５】
基板支持フレームにおける左右両側部に、長手方向を向くとともに、突部としての表面側に突出するリブを設け、このリブの先端と基板の裏面とにより、左右両側部の折り返し部を挟圧してなる請求項１〜４のいずれかに記載の椅子の基板への表皮材の取付方法。
【請求項６】
基板支持フレームのリブよりも内側方において、基板における左右両側部の裏面に、裏面側に突出する長手方向の突条を設け、この突条の先端と基板支持フレームの表面とにより、左右両側部の折り返し部を挟圧してなる請求項５に記載の椅子の基板への表皮材の取付方法。
【請求項７】
脚体またはそれに設けた支持体に支持され、両側部に表面側に突出する突部を有する基板支持フレームと、
この基板支持フレームの表面側に取付けられ、側面視において中間部が表面側に向かって凸状に屈曲された基板と、
前記基板の表面を覆う面状部と、その周縁に連設され、前記基板の裏面外周部を覆うように裏面側に折り返されるとともに、少なくとも左右両側部を伸長可能とした折り返し部とを有し、前記折り返し部の左右両側部における少なくとも前記基板の屈曲部と対向する部分の裏面が、伸長した状態で前記基板支持フレームの突部により表面側に向かって押圧された表皮材
とを備えることを特徴とする椅子。
【請求項８】
表皮材における左右両側部の折り返し部を除いた部分の折り返し部に、伸び止め部材を取付けることにより、その部分を伸縮不能としてなる請求項７に記載の椅子。
【請求項９】
伸び止め部材を、合成樹脂製の伸び止めテープまたは伸び止め板よりなるものとした請求項８に記載の椅子。
【請求項１０】
左右両側部の折り返し部が、基板支持フレームにおける左右両側部に、長手方向を向くとともに、表面側に突出するように設けた、突部としてのリブの先端と基板の裏面とにより挟圧されるようにした請求項７〜９のいずれかに記載の椅子。
【請求項１１】
左右両側部の折り返し部が、基板支持フレームのリブよりも内側方において、基板における左右両側部の裏面に、裏面側に突出するように設けた長手方向の突条の先端と基板支持フレームの表面とにより挟圧されるようにした請求項１０に記載の椅子。
【発明の詳細な説明】
【技術分野】
【０００１】
本発明は、椅子における背凭れの背板や、座の座板等の基板の表面を覆うようにして装着される表皮材の取付方法、及びこの表皮材を取付けた椅子に関する。
【背景技術】
【０００２】
椅子の背板や座板等の基板に表皮材を取付けた椅子としては、例えば特許文献１に記載されているように、基板の表面に取付けたクッション材を表皮材により覆ったのち、基板の裏面側において、表皮材の周縁に挿通した緊締用紐を緊張させて、周縁をすぼめるようにしたものがある。このような表皮材の取付方法は、基板がほぼ平板状をなすものに適用されるのが一般的であり、基板が中央部付近において表面側に屈曲しているものにおいては、緊締用紐を緊張させて表皮材の周縁をすぼめると、屈曲部付近において対向する緊締用紐の周縁部が、基板の裏面から大きく離間するので、屈曲部付近において表皮材が弛み、表面にしわが生じ易くなる。
【０００３】
この問題を解決しうるものとして、例えば特許文献２には、中間部が側面視くの字状に屈曲された基板の表面に設けたクッション材を、表皮材で覆い、この表皮材の周縁に取付けられた緊締用紐を、基板の屈曲部付近においてその両側部の裏面に設けた係止部に係止することにより、基板の屈曲部付近において表皮材の周縁が基板の裏面から離れるのを防止するようにしたものがある。
また、例えば特許文献３には、上下方向の中間部が側面視くの字状に屈曲された基板(背板)の表面を、表皮材で覆い、この表皮材の両側部に固着した合成樹脂よりなるテープ状のサイド縁部材を、背板の裏面側においてその両側部の裏面に突設した上下複数のボスに嵌合させることにより、表皮材の両側部が基板より外れたり、弛んだりするのを防止しうるようにした椅子が開示されている。
【先行技術文献】
【特許文献】
【０００４】
【特許文献１】特開平９−１０４５０号公報
【特許文献２】特開２００５−１６０８９４号公報
【特許文献３】特開２０１１−９２５４４号公報(図１３等)
【発明の概要】
【発明が解決しようとする課題】
【０００５】
上記特許文献２に記載されている椅子は、基板の屈曲部付近においてのみ、表皮材の両側部の周縁が係止部に係止されているので、緊締用紐が弛んだり、表皮材が左右方向に強く引っ張られたりした際に、係止部に係止されていない部分において表皮材の両側部が基板の表面側に向かってずれ動き、表皮材の表面が弛む恐れがある。
【０００６】
特許文献３に記載されている椅子においても、表皮材の両側部が、上下に離間させて突設した複数のボスに、不連続状に部分的に嵌合されているので、表皮材が左右方向に強く引っ張られたりした際に、表皮材におけるボスに嵌合されていない部分が基板の表面側にずれ動く恐れがある。また、表皮材の両側部が部分的にボスに嵌合され、かつ背板への表皮材の両側部の取付強度を、ボスと取付孔との嵌合のみに依拠しているので、表皮材が左右方向に強く引っ張られた際に、その取付孔に局部的に大きな引っ張り力が加わり、取付孔が裂ける恐れもある。
【０００７】
さらに、表皮材の両側部に、別部材である合成樹脂製のサイド縁部材を固着したり、この縁材に取付孔を穿設したりする必要があるので、表皮材のコストが増大するという問題がある。
表皮材を着脱するには、基板をバックフレームより完全に取り外してから、縁部材をボスより後方に離脱させなければならないので、表皮材の着脱作業や交換作業が面倒である。
【０００８】
本発明は、上記問題点に鑑みてなされたもので、基板に何らの加工等を施したり、特別な取付手段を用いたりすることなく、その表面を覆う表皮材を、弛みやしわの発生を防止するとともに、側方へのずれを防止して緊密に、かつ容易に取付けうるようにした、椅子の基板への表皮材の取付方法及び椅子を提供することを目的としている。
【課題を解決するための手段】
【０００９】
本発明の椅子の基板への表皮材の取付方法によると、上記課題は、次の各項のようにして解決される。
（１）脚体またはそれに設けた支持体に支持された基板支持フレームと、この基板支持フレームの表面側に取付けられ、側面視において中間部が表面側に向かって凸状に屈曲された基板と、この基板の表面を覆う面状部の周縁に、基板の外周部とそれに連続する裏面の一部を覆う、裏面側に折り返された折り返し部を有する表皮材とを備える椅子における前記基板への表皮材の取付方法であって、前記表皮材の左右両側部の折り返し部を長手方向に伸長可能とし、この左右の折り返し部を伸長させることにより、基板に、表皮材を、その周囲の折り返し部により基板の裏面外周部を覆うように表面側より装着し、ついで、左右両側部の折り返し部における少なくとも前記基板の屈曲部と対向する部分の裏面を、前記基板支持フレームの左右両側部における表面側に突出する突部により、表面側に向かって押圧して、前記基板を基板支持フレームに取付ける。
【００１０】
このような構成によると、左右両側部の折り返し部における基板の屈曲部の裏面を、基板支持フレームの左右両側部の突部により表面側に押圧すると、両側部の折り返し部に張力が働いて、表皮材の面状部が左右両側方に引っ張られるので、表皮材および基板に何らの加工等を施したり、特別な取付手段を用いることなく、基板に、表皮材を、弛みやしわが発生するのを防止して緊密に張設することができる。
また、両側部の折り返し部を表面側に押圧すると、表皮材の両側部が基板の両側部に強く密着して摩擦抵抗が大となるので、表皮材が外側方にずれる恐れが小さくなる。従って、表皮材の緊締用紐や固定手段等を使用したりする必要がない。
さらに、両側部の折り返し部を長手方向に伸長しうるようにしてあるので、表皮材を基板に容易に装着したり、取り外したりすることができる。
【００１１】
（２）上記(１)項において、表皮材における左右両側部の折り返し部を除いた部分の折り返し部を、伸縮不能とする。
【００１２】
このような構成によると、両側部の折り返し部を押圧した際の張力が、両側部以外の折り返し部に伝達されて、それらが同時に伸長してしまうのが防止されるので、表皮材の面状部が全周に亘ってすぼまることがなくなり、面状部に弛みやしわが発生するのを防止することができる。
【００１３】
（３）上記(２)項において、表皮材における左右両側部の折り返し部を除いた部分の折り返し部に、伸び止め部材を取付けることにより、その部分を伸縮不能とする。
【００１４】
このような構成によると、椅子に使用される一般的な表皮材の折り返し部を、伸び止め部材を取付けるだけで、容易に伸縮不能とすることができる。
【００１５】
（４）上記(３)項において、伸び止め部材を、合成樹脂製の伸び止めテープまたは伸び止め板よりなるものとする。
【００１６】
このような構成によると、表皮材の折り返し部を補強することができる。
【００１７】
（５）上記(１)〜(４)項のいずれかにおいて、基板支持フレームにおける左右両側部に、長手方向を向くとともに、突部としての表面側に突出するリブを設け、このリブの先端と基板の裏面とにより、左右両側部の折り返し部を挟圧する。
【００１８】
このような構成によると、左右両側部の折り返し部が、基板より外側方に外れたり、表皮材の面状部に弛みが発生したりするのが防止される。
【００１９】
（６）上記(５)項において、基板支持フレームのリブよりも内側方において、基板における左右両側部の裏面に、裏面側に突出する長手方向の突条を設け、この突条の先端と基板支持フレームの表面とにより、左右両側部の折り返し部を挟圧する。
【００２０】
このような構成によると、左右両側部の折り返し部が、内側方と外側方との２箇所において挟圧されるので、左右両側部の折り返し部が、基板の外側方に外れたり、面状部に弛みが発生したりするのが確実に防止される。
【００２１】
本発明の椅子によると、上記課題は、次の各項のようにして解決される。
（７）脚体またはそれに設けた支持体に支持され、両側部に表面側に突出する突部を有する基板支持フレームと、この基板支持フレームの表面側に取付けられ、側面視において中間部が表面側に向かって凸状に屈曲された基板と、前記基板の表面を覆う面状部と、その周縁に連設され、前記基板の裏面外周部を覆うように裏面側に折り返されるとともに、少なくとも左右両側部を伸長可能とした折り返し部とを有し、前記折り返し部の左右両側部における少なくとも前記基板の屈曲部と対向する部分の裏面が、伸長した状態で前記基板支持フレームの突部により表面側に向かって押圧された表皮材とを備えるものとする。
【００２２】
このような構成によると、左右両側部の折り返し部における基板の屈曲部の裏面が、伸長した状態で、基板支持フレームの左右両側部の突部により表面側に押圧され、両側部の折り返し部に張力が働いて、表皮材の面状部が左右両側方に引っ張られるので、表皮材および基板に何らの加工等を施したり、特別な取付手段を用いることなく、基板に、表皮材を、弛みやしわが発生するのを防止して緊密に張設することができる。
また、伸長した状態にある両側部の折り返し部を表面側に押圧すると、表皮材の両側部が基板の両側部に強く密着して摩擦抵抗が大となるので、表皮材が外側方にずれる恐れが小さくなる。従って、表皮材の緊締用紐や固定手段等を使用したりする必要がない。
さらに、両側部の折り返し部を長手方向に伸長しうるようにしてあるので、表皮材を基板に容易に装着したり、取り外したりすることができる。
【００２３】
（８）上記(７)項において、表皮材における左右両側部の折り返し部を除いた部分の折り返し部に、伸び止め部材を取付けることにより、その部分を伸縮不能とする。
【００２４】
このような構成によると、一般的な表皮材の折り返し部に、伸び止め部材を取付けるだけで、その部分を容易に伸縮不能とした椅子を提供することができる。
【００２５】
（９）上記(８)項において、伸び止め部材を、合成樹脂製の伸び止めテープまたは伸び止め板よりなるものとする。
【００２６】
このような構成によると、表皮材の折り返し部が補強された椅子を提供することができる。
【００２７】
（１０）上記(７)〜(９)項のいずれかにおいて、左右両側部の折り返し部が、基板支持フレームにおける左右両側部に、長手方向を向くとともに、表面側に突出するように設けた、突部としてのリブの先端と基板の裏面とにより挟圧されるようにする。
【００２８】
このような構成によると、左右両側部の折り返し部が、基板より外側方に外れたり、表皮材の面状部に弛みが発生したりするのが防止された椅子を提供することができる。
【００２９】
（１１）上記(１０)項において、左右両側部の折り返し部が、基板支持フレームのリブよりも内側方において、基板における左右両側部の裏面に、裏面側に突出するように設けた長手方向の突条の先端と基板支持フレームの表面とにより挟圧されるようにする。
【００３０】
このような構成によると、左右両側部の折り返し部が、内側方と外側方との２箇所において挟圧されるので、左右両側部の折り返し部が、基板の外側方に外れたり、面状部に弛みが発生したりするのが確実に防止された椅子を提供することができる。
【発明の効果】
【００３１】
本発明によれば、基板に何らの加工等を施したり、特別な取付手段を用いたりすることなく、その表面を覆う表皮材を、弛みやしわの発生を防止するとともに、側方へのずれを防止して緊密に、かつ容易に取付けうるようにした、椅子の基板への表皮材の取付方法及び椅子を提供することができる。
【図面の簡単な説明】
【００３２】
【図１】本発明に係わる表皮材の取付方法の一実施形態を備える椅子の正面図である。
【図２】背凭れおよび背凭れ支持杆の一部を斜め前方から見た分解斜視図である。
【図３】背凭れを斜め後方から見た分解斜視図である。
【図４】後面カバーを外したときの背凭れの後面図である
【図５】後面カバーおよび背凭れ支持杆を取り付けた状態での図４のV−V線拡大縦断側面図である。
【図６】後面カバーおよび背凭れ支持杆を取り付けた状態での図４のVI−VI線拡大縦断側面図である。
【図７】後面カバーを取り付けた状態での図４のVII−VII線拡大断面図である。
【図８】後面カバーを取り付けた状態での図４のVIII−VIII線拡大横断平面図である。
【図９】後面カバーを取り付けた状態での図４のIX−IX線拡大横断平面図である。
【図１０】後面カバーを取り付けた状態での図４のX−X線拡大横断平面図である。
【図１１】後面カバーを取り付けた状態での図４のXI−XI線拡大横断平面図である。
【図１２】図６のXII−XII線拡大断面図である。
【図１３】背当基板に表皮材を装着する要領を示し、表皮材を途中まで装着したときの斜視図である。
【図１４】同じく、背当基板に表皮材を装着した後の斜視図である。
【発明を実施するための形態】
【００３３】
以下、本発明の実施形態を、図面に基づいて説明する。
図１および図２に示すように、この椅子においては、先端にキャスタ１を設けた放射状に延びる５本の脚２の中央に支柱３を立設してなる脚体４における上記支柱３の上端に、座５および背凭れ６を支持する支持体７が設けられている。
【００３４】
背凭れ６は、支持体７より後方に向かって延出した後、起立する側面視前向Ｌ字状をなす背凭れ支持杆８(図２参照)における起立部の上部によって支持されている。
背凭れ支持杆８の前端部は、前端部が左右方向を向く軸(図示略)をもって、支持体７に枢着され、背凭れ６とともに、支持体７に対して後傾可能となっているが、その後傾のためのリクライニング機構に関しては、本発明に直接関係しないので、図示および詳細な説明は省略する。
なお、背凭れ支持杆８の前端部を、支持体７に固着して実施することもある。
【００３５】
図２および図３に示すように、背凭れ６は、硬質合成樹脂材料よりなる正面視ほぼ方形枠状の基板支持フレーム９と、その前面に装着されたエラストマーまたは軟質合成樹脂材料等の可撓性を有する軟質材料よりなる背当基板１０と、この背当基板１０の前面と外周部の後面(裏面)とを覆うようにして背当基板１０に装着された表皮材１１と、硬質合成樹脂材料よりなり、基板支持フレーム９の後面を覆うようにして、基板支持フレーム９に装着された後面カバー１２とを備えている。なお、表皮材１１の詳細な取付方法については、後述する。
【００３６】
基板支持フレーム９は、側面視において上下方向の中央部よりやや下方の部分が、表面側である前方に向かって凸状に突出するように緩やかに屈曲する、上下方向を向く左右１対の縦杆１３、１３と、その上端部同士を連結するとともに、平面視において左右方向の中央部が後方に突出するようにほぼ円弧状に湾曲する上部連結部１４と、左右の縦杆１３、１３の下端部同士を、上部連結部１４の上下幅より大きい上下幅を持って連結するとともに、平面視において左右方向の中央部が後方に突出するようにほぼ円弧状に湾曲する下部連結部１５と、この下部連結部１５の上端における左右方向の中央部から、左右の縦杆１３、１３のやや上部に向かって互いに拡開するように斜めに延出する左右１対の傾斜杆１６、１６とを備えている。なお、基板支持フレーム９と背凭れ支持杆８とを、一体成形されたひとつの部材とすることもある。
【００３７】
図５に示すように、下部連結部１５における左右方向の中央部には、下端のみが開口する方形の凹部１７が設けられ、この凹部１７に、背凭れ支持杆８の後部の起立部の上端部が下方より嵌合され、その上端部と下部連結部１５における凹部１７の前壁１８とを、４個のボルト１９をもって締着することにより、基板支持フレーム９は、背凭れ支持杆８の後部の起立部の上端部に安定よく固着されている。
背凭れ支持杆８の起立部は、図２に示すように、左右方向を向く金属板の左右両側部に、前方に向かって突出する平面視コ字状に突出する上下方向を向く突条８ａ、８ａを折曲して形成してなり、図５に示すように、各突条８ａの上部２箇所において、ボルト１９をもって前壁１８に締着されている。
【００３８】
図２および図６〜図１１に示すように、基板支持フレーム９における左右の各縦杆１３の前面には、上下方向を向く前向凹溝２０が設けられ、この凹溝２０と交差するように、各縦杆１３には、左右方向を向く複数のピン挿入孔２１が、上下方向に適宜の間隔をもって設けられている。
【００３９】
図３、図４および図８に示すように、各縦杆１３の後面における外側部には、各ピン挿入孔２１にピンを案内するための左右方向を向く円弧状の案内溝２２が設けられている。
また、図３、図４、および図６に示すように、各縦杆１３における凹溝２０の底部であって、ピン挿入孔２１に対応する部分には、前後方向に貫通する縦長の貫通孔２３が設けられている。
【００４０】
図３、図４および図１０に示すように、各縦杆１３の下部であって、下部連結部１５の両側部には、凹溝２０の一部を含んで前後方向に貫通する方形の貫通孔２４が設けられている。
【００４１】
図３、図４、図９および図１１に示すように、各縦杆１３の後面における上記貫通孔２４を挾む上下部には、段付き孔２５、２５が設けられている。
【００４２】
図２、図４および図６に示すように、各縦杆１３の上端であって、上部連結部１４の両側部には、平面視ほぼ方形の係合孔２６が設けられている。
【００４３】
図２〜図４、および図７に示すように、上部連結部１４の後面における左右方向の中央部には、左右方向を向く長円形の浅い凹入段部２７が設けられており、その凹入段部２７の中央には、ねじ挿通孔２８が、またその両側部には、オプション部材取付孔２９、２９が設けられている。
【００４４】
上部連結部１４の後面における凹入段部２７の両側方には、位置決め孔３０、３０が、さらにその外側の両側方には、段付き孔３１、３１が設けられている。
【００４５】
基板支持フレーム９の前面および後面には、補強および材料の軽減を目的とした多数のリブや肉抜き孔が設けられているが、それらについては、本発明に関連するもののみについて説明し、その他については説明を省略する。
【００４６】
図２、および図７〜図１１に示すように、基板支持フレーム９には、各縦杆１３の内側の縁を形成するとともに、そこから上下に延長して、上部連結部１４および下部連結部１５の前面におけるリブを形成する縦リブ３２が、前向きに突設されている。
背当基板１０の両側部を支持する支持手段(後述する)よりも内方において、左右の縦杆１３の内側の前縁、すなわち各縦リブ３２の内側の前縁には、背当基板１０の後面に当接する前端面から内側方に向かって、背当基板１０の後面からの離間寸法が漸次増大するなだらかな円弧状の曲面をなす、背当基板１０のための変形許容部３３が、上下方向に連続して設けられている。
【００４７】
この変形許容部３３の曲率半径を、上部から下部に向かって漸次小とすることにより、背当基板１０の後面と変形許容部３３との対向面の離間寸法が、上方に向かって漸次大となるようにしてある(図７〜図１１参照)。
なお、図示は省略するが、この変形許容部３３の曲率半径を上部から下部に向かって漸次大として、背当基板１０の後面と変形許容部３３との対向面の離間寸法を、下方に向かって漸次大となるようにすることもある。また、変形許容部３３は、円弧状の曲面とする以外に、例えば内方に向かうにしたがって曲率半径が漸次小となる放物面、または一部にフラットな傾斜面を有するものとしてもよい。
【００４８】
このように、左右の縦杆１３における縦リブ３２の内側の前縁に、背当基板１０の後面に当接する前端面から内側方に向かって、背当基板１０の後面からの離間寸法が漸次増大する変形許容部３３を設けると、着座者の背中により背当基板１０が後方へ押圧された際に、その中央部が後方に弾性変形するのに伴なって、背当基板１０の左右両側部も、縦杆１３の内側の前縁を支点として変形許容部３３に沿って後方に弾性変形し易くなる。従って、背当基板１０の中央部と両側部との変形量に大きな差が生じにくくなり、背当基板１０全体が効果的に後方に弾性変形することにより、着座者の背中が快適に支持されるようになる。
【００４９】
また、変形許容部３３を、なだらかな曲面をなす形状としてあるので、変形許容部３３に沿って、背当基板１０が後方に弾性変形し易くなり、かつ背当基板１０の両側部に大きな曲げ応力が加わらないので、縦杆１３と当接する後面が損耗する恐れが小さくなる。
【００５０】
さらに、変形許容部３３の曲率半径を、上部から下部に向かって漸次小とし、背当基板１０の後面と変形許容部３３との対向面の離間寸法を、上方に向かって漸次大となるようにすると、背中の荷重が大きく加わる背当基板１０の上部の両側部ほど、後方に大きく弾性変形するようになるので、背凭れ６をリクライニングさせて凭れ掛けた際の感触がよくなる。
【００５１】
なお、これとは反対に、変形許容部３３の曲率半径を上部から下部に向かって漸次大とし、背当基板１０の後面と変形許容部３３との対向面の離間寸法を、下方に向かって漸次大となるようにすると、臀部を座５の奥部に位置させて深く着座し、この状態で背凭れ６をリクライニングさせた際等において、背当基板１０の下部の両側部ほど、後方に大きく弾性変形し易くなるので、腰部付近が快適に支持される。
【００５２】
各縦杆１３における上記縦リブ３２と離間する外側方には、縦杆１３の外側面を形成する縦リブ３４、３４が、内方の縦リブ３２と平行をなすように前向きに突設され、これにより、左右の縦杆１３は、左右の縦リブ３２、３４との間の前面に、上下方向を向く肉抜き凹溝３５と上記凹溝２０とが互いに並列して設けられた、ほぼ前向き凵状断面をなしている。なお、基板支持フレーム９に背当基板１０を装着した際、縦リブ３２、３４の先端面に、背当基板１０の両側部の後面が近接または当接するようになっている。
【００５３】
図２〜図４に示すように、背当基板１０は、平面視において左右方向の中央部が後方に突出するようにほぼ円弧状に湾曲するとともに、側面視において上下方向の中央部よりやや下方の部分が、基板支持フレーム９とほぼ同じ曲率で前方に凸状に屈曲された正面視ほぼ方形をなし、上下左右の縁部を除く内側の部分に多数の小孔３６を設けることにより、その部分を撓み易くしたもので、左右両側部の後面(裏面)には、背当基板１０の上下の端部付近に達する長さの上下方向を向く差込片３７、３７が、後向きに一体的に突設されている。
【００５４】
各差込片３７には、基板支持フレーム９の各縦杆１３における複数のピン挿入孔２１と対応する部分に、左右方向を向くピン挿入孔３８が、また各縦杆１３における貫通孔２４とに対応する部分に、後端部に内向きの係合爪３９ａを有する弾性係合片３９がそれぞれ設けられている。
各差込片３７の後端縁における各ピン挿入孔３８の後方の部分には、各ピン挿入孔３８の中心を曲率中心とする側面視円弧状の突部３７ａが形成されている。
【００５５】
背当基板１０の後面(裏面)における左右の差込片３７、３７の外側の部分には、各差込片３７と平行かつほぼ同じ上下寸法の左右１対の突条４０、４０が、後向きに一体的に突設されている。突条４０の後方への突出寸法は、差込片３７のそれよりも若干小とされている。各突条４０における上部の３個のピン挿入孔３８に対応する部分には、ピンの挿入の妨げとならないための円弧状の切欠き４０ａが設けられている。
【００５６】
図５および図６に示すように、背当基板１０の上部には、後上方に向かって緩く屈曲する屈曲部１０ａが形成されており、この屈曲部１０ａの後面における上端より下方の部分には、平面視および後面視において三日月形をなし、かつ左右方向の中央部の縦断面形状が前方に凸の円弧状をなし、かつ屈曲部１０ａの後面に対して鋭角をなして後下方を向く下向片４１と、その下縁から鈍角をなして後方に向かって延出する後向片４２と、下向片４１と後向片４２との結合部から垂下する垂下片４３とが、一体的に設けられている。
この下向片４１と後向片４２とにより、基板支持フレーム９の上端から上方に離間するようにして、背当基板１０の上部後面から後方に向かって延出し、かつ背当基板１０と基板支持フレーム９との間の空間の上方と、基板支持フレーム９の上方とを覆う後覆い部が形成されている。
後向片４２は、下向片４１の左右方向の外側においても延出し、その外側の部分の後端は、屈曲部１０ａの後面と一体となっている。
【００５７】
垂下片４３から両側方に離間する後向片４２の両側部後端には、下端に前向き片４４ａを有し、かつ背当基板１０の各側部を基板支持フレーム９に係止させる係止手段をなす下向きの係合片４４が設けられている(図６参照)。
この係合片４４の横断面形状は、図１２に示すように、内側方に向かって拡開する楔状をなしている。
【００５８】
垂下片４３における左右方向の中央部とその両側方とには、基板支持フレーム９の上部連結部１４におけるねじ挿通孔２８とその両側方におけるオプション部材取付孔２９、２９、位置決め孔３０、３０、および段付き孔３１、３１に対応するボス挿通孔４５、４６、４６、４７、４７、４８、４８が設けられている。
【００５９】
垂下片４３の前面には、硬質合成樹脂材料よりなる補強材を兼ねる当て板４９が配設されている。この当て板４９の後面には、上記垂下片４３におけるボス挿通孔４５、４６、４６、４７、４７、４８、４８に対応し、それらに前方から嵌合しうる後方を向く複数のボス５０、５１、５１、５２、５２、５３、５３が一体的に設けられている。
【００６０】
図６〜図１１に示すように、左右の各差込片３７を、基板支持フレーム９の前面における左右の凹溝２０に前方より挿入し、対応するピン挿入孔２１とピン挿入孔３８とを整合させた状態で、ピン５４を基板支持フレーム９の両側方から、各ピン挿入孔２１とピン挿入孔３８とに挿入して(図８参照)、差込片３７を凹溝２０から抜け止めし、かつ弾性係合片３９を貫通孔２４に嵌合して、その後端の係合爪３９ａを、貫通孔２４の後端の外側の縁に係止させ(図１０参照)、さらに、垂下片４３の前面に配設した当て板４９のボス５０、５１、５１、５２、５２、５３、５３を、垂下片４３におけるボス挿通孔４５、４６、４６、４７、４７、４８、４８に嵌合し、かつボス５２、５２、５３、５３を、基板支持フレーム９の上部連結部１４における位置決め孔３０、３０および段付き孔３１、３１に嵌合し、かつ各段付き孔３１に後方より挿通させた止めねじ５５を、ボス５３に設けた雌ねじ孔５６に螺合して締め付けることにより(図７参照)、背当基板１０は、基板支持フレーム９の前面側に、強固に、かつ安定よく装着されている。
なお、上記差込片３７、ピン５４、弾性係合片３９、および突片２４ａ等により、基板支持フレーム９の左右の縦杆１３に、背当基板１０の両側部を支持する支持手段を構成している。
【００６１】
各差込片３７を、基板支持フレーム９の前面における左右の凹溝２０に前方より挿入したとき、差込片３７の後端における円弧状の各突部３７ａが、基板支持フレーム９における対応する貫通孔２３に嵌合することにより、各差込片３７は、基板支持フレーム９に対して上下方向に位置決めされる。
【００６２】
図２および図３に示すように、基板支持フレーム９の両側方よりピン挿入孔２１に挿入する上方の３本のピン５４の頭部同士は、上下方向を向く連結杆５７をもって互いに連結され、各ピン５４をピン挿入孔２１に挿入したとき、図８に示すように、連結杆５７が基板支持フレーム９の外側面に当接するようにしてある。
【００６３】
図示は省略してあるが、基板支持フレーム９の両側の下方のピン挿入孔２１に挿入する２個のピンも、連結杆５７と同様の連結杆をもって連結し、上方の３個のピン５４と同様にして、基板支持フレーム９の下方のピン挿入孔２１に挿入するのがよい。
なお、弾性係合片３９の係合爪３９ａを、貫通孔２４の後端の外側の縁に係止させるだけでも、背当基板１０の下部は基板支持フレーム９に確実に装着されるので、下方の２本のピンのピン挿入孔２１への挿入は省略することもある。
【００６４】
図４および図１０に示すように、弾性係合片３９の係合爪３９ａに、上下方向を向く係合孔３９ｂを設けておき、係合爪３９ａを貫通孔２４の後端の外側の縁に係止させたとき、上記係合孔３９ｂに、基板支持フレーム９における貫通孔２４の後端の外側の縁に突設した後方を向く突片２４ａが係合して、係合爪３９ａが、貫通孔２４の後端の外側の縁から内方に外れるのを防止しうるようにしておくのが望ましい。
【００６５】
図２〜図４および図６に示すように、基板支持フレーム９の上端両側部における係合孔２６に、背当基板１０の後面側の上隅部に設けた下向の係合片４４を上方より嵌合して、係合孔２６の前縁に係合させ、かつ係合片４４の下端の前向き片４４ａが、係合孔２６の下端の前縁に係合しうるようにしておくことにより、背当基板１０の上端における左右の角部が、基板支持フレーム９から前方に剥離するのを防止することができる。
【００６６】
また、図５に示すように、背当基板１０を基板支持フレーム９の正規の位置に装着したとき、背当基板１０における後向片４２が、基板支持フレーム９の上端を覆うようにすることによって、外観の向上を図っている。
【００６７】
図２および図３に示すように、後面カバー１２の前面における両側端より僅かに内方寄りの部分には、前向き片５９、５９が突設され、また上端より僅かに下方の部分には、前方に向かってほぼ水平に延出するとともに、両側端が左右の前向き片５９の上端と連続する前向き片６０が突設されている。この前向き片６０の左右両側部の前縁には、垂下片６１、６１が設けられている。
この垂下片６１の前面は、図１２に示すように、係合片４４の後面と平行をなすように、平面視において外側部が内側部より前方に位置するように傾斜し、かつ横断面形状が、後方に向かって開口する後向コ字状をなしている。
【００６８】
後面カバー１２の前面における下部の両側部には、基板支持フレーム９における貫通孔２４に対応する正面視方形の嵌合突部６２と、同じく上下の係合孔２５、２５に対応する円筒状の係合突部６３、６３とが突設されている。
各係合突部６３の先端部には、外向きの係止爪６３ａが設けられている。
【００６９】
後面カバー１２の後面における上部の左右方向の中央部には、左右方向を向く長円形の浅い凹入段部６４が設けられており、その凹入段部６４の中央には、ねじ挿通孔６５が、またその両側部には、オプション部材取付孔６６、６６が設けられている。
【００７０】
図６および図１２に示すように、背当基板１０の係合片４４が前縁に係合された、基板支持フレーム９の上端両側部の係合孔２６に、左右の垂下片６１を、その前面が係合片４４の後面に当接か、または近接するようにして嵌合し、図１０に示すように、背当基板１０における弾性係合片３９の係合爪３９ａが後端の外側の縁に係止された、基板支持フレーム９の左右の貫通孔２４に、左右の嵌合突部６２を、その外側面が弾性係合片３９の内側面に当接するようにして嵌合し、図９および図１１に示すように、各係合突部６３を、基板支持フレーム９における対応する段付き孔２５に嵌合して、その係止爪６３ａを段付き孔２５の前端縁に係止し、さらに、図５および図７に示すように、後面カバー１２の後方から、ねじ挿通孔６５と、基板支持フレーム９のねじ挿通孔２８とを順次挿通させた止めねじ６７を、当て板４９のボス５０に設けた雌ねじ孔６８に螺合して締め付けることにより、後面カバー１２は、基板支持フレーム９の後面に、強固に、かつ安定よく装着されている。
【００７１】
図８に示すように、後面カバー１２を基板支持フレーム９に装着した状態において、ピン５４と一体をなす連結杆５７は、後面カバー１２の左右両側部における前面、および/または左右の前向き片５９と当接することにより押えられ、外側方への脱落が防止されている。これにより、ピン５４のピン挿入孔３８からの脱落を防止する脱落防止手段を別途設けることなく、ピン５４の脱落が防止されるとともに、背当基板１０の基板支持フレーム９からの脱落も防止される。なお、複数のピン５４を連結杆５７により連結しないで、ピン５４を単体で使用することもできるが、この際には、各ピン５４に拡径頭部を設け、この拡径頭部を、後面カバー１２における両側部の前面により押えうるようにすれば、その脱落を防止することができる。
【００７２】
また、左右の垂下片６１を、背当基板１０の係合片４４が前縁に係合された、基板支持フレーム９の上端両側部の係合孔２６に、上記のようにして嵌合することにより、係合片４４を係合孔２６から抜け止めすることができ、また、左右の嵌合突部６２を、背当基板１０における弾性係合片３９の係合爪３９ａが後端の外側の縁に係止された、基板支持フレーム９の左右の貫通孔２４に、上記のようにして嵌合することにより、弾性係合片３９を貫通孔２４から抜け止めすることができる。
【００７３】
後面カバー１２の後面における凹入段部６４には、銘板を兼ねるキャップ６９が、着脱可能として嵌着されている。
【００７４】
図２、図３、図１３および図１４に示すように、上述した表皮材１１は、織布、メッシュ地、その他の張材により形成され、背当基板１０の前面(表面)を覆いうる方形の面状部１１ａと、その上縁と下縁と左右の両側縁に、それぞれ後面側(裏面側)に折り返して形成され、かつコーナー部において端部同士が互いに縫合された上部折り返し部１１ｂ、下部折り返し部１１ｃ、および左右の側部折り返し部１１ｄ、１１ｄとからなり、これらの各折り返し部１１ｂ、１１ｃ、１１ｄにより、背当基板１０の後面の外周端部が覆われるようになっている。
背当基板１０に装着する前の表皮材１１の左右寸法は、背当基板１０の左右寸法とほぼ同等か若干小さく、また、上下寸法は、背当基板１０の上下寸法よりも所要寸法小としてある。
【００７５】
上部折り返し部１１ｂは、その裏側に、左右方向に長い合成樹脂製の伸び止めテープ７０を、縫着、接着または溶着等により取り付けることにより、左右方向に伸縮不能とされている。また、下部折り返し部１１ｃの裏側には、その左右方向への伸縮を不能とする合成樹脂よりなる左右方向に長い帯板状の伸び止め板７１の下端部が、下部折り返し部１１ｃの上縁より上方に突出するようにして、縫着、接着または溶着等により取り付けられている。なお、伸び止めテープ７０と伸び止め板７１は、それぞれ、上部折り返し部１１ｂと下部折り返し部１１ｃを補強する補強部材を兼ねている。
【００７６】
伸び止め板７１の左右寸法は、背当基板１０の後面に突設した左右の差込片３７、３７の対向面の離間寸法よりも小としてある。また、伸び止め板７１は、例えば厚さが１〜２mm程度の可撓性を有するものとするのが好ましい。なお、上記とは反対に、下部折り返し部１１ｃの裏側に、伸び止めテープ７０を、上部折り返し部１１ｂの裏側に、伸び止め板７１を、それぞれ取り付けることもある。
【００７７】
側部折り返し部１１ｄ、１１ｄは、上下方向に伸長させうるように伸縮縫いされ、その部分の裏側には、上下方向に長いゴムバンド７２が縫着されている。これにより、側部折り返し部１１ｄ、１１ｄは、上下方向に伸縮しうるようになっている。なお、側部折り返し部１１ｄを最大限伸長させた際の上下寸法は、背当基板１０の上下寸法とほぼ同等か若干大とするのが好ましい。
【００７８】
次に、背当基板１０への表皮材１１の取付け要領について説明する。
図１３に示すように、背当基板１０の前面に表皮材１１の面状部１１ａを押し当てた状態で、まず表皮材１１の上部折り返し部１１ｂを背当基板１０の上端部に被せ、背当基板１０の後面に突設した後向片４２より上方の上端部と後面を覆うとともに、左右の側部折り返し部１１ｄ、１１ｄの上部により、背当基板１０の上部の両側部と後面を部分的に覆う。
【００７９】
ついで、図１４に示すように、側部折り返し部１１ｄ、１１ｄを下方に伸長させながら、下部折り返し部１１ｃを背当部材の下端部に被せ、背当部材の下端部と後面を覆うとともに、側部折り返し部１１ｄ、１１ｄにより、背当基板１０の両側部とそれに連続する両側端部の後面を覆う。この際、背当基板１０の後面の両側部に突設した突条４０、４０も、側部折り返し部１１ｄ、１１ｄにより覆われる。また、下部折り返し部１１ｃに取付けた伸び止め板７１は、背当基板１０の後面の差込片３７、３７間に位置する。なお、作業性は若干悪くなるが、上記とは反対に、下部折り返し部１１ｃを背当基板１０の下端部に被せた後、側部折り返し部１１ｄ、１１ｄを上方に伸長させながら、上部折り返し部１１ｂを背当基板１０の上端部に被せるようにしてもよい。
【００８０】
このようにして、背当基板１０に表皮材１１を装着すると、背当基板１０の上下方向の中間部は前方に凸状に屈曲され、かつ側部折り返し部１１ｄの最大伸長寸法を背当基板１０の上下寸法とほぼ同等または若干大としてあるので、側部折り返し部１１ｄ、１１ｄは、屈曲部と対向する部分ほど、背当基板１０の両側部の後面より大きく離間し、それらの対向面間には、側部折り返し部１１ｄ、１１ｄを前方に押圧可能な隙間が形成される。
【００８１】
このようにして、背当基板１０に表皮材１１を装着した状態で、背当基板１０を前述の要領で基板支持フレーム９に取付けると、図７〜図１２に示すように、左右の側部折り返し部１１ｄ(左右対称につき、一方のみ図示する)の後面が、基板支持フレーム９の外方の縦リブ３４の先端(前端)により、背当基板１０の後面に向かって前向きに押圧され、背当基板１０の後面と側部折り返し部１１ｄとの間に形成されている隙間が閉塞される。これにより、側部折り返し部１１ｄに張力が働いて、面状部１１ａが左右両側方に引っ張られ、表皮材１１が背当基板１０に緊密に張設される。
【００８２】
また、表皮材１１の両側部が背当基板１０の両側部に強く密着して摩擦抵抗が大となるとともに、側部折り返し部１１ｄが、背当基板１０の後面と基板支持フレーム９の縦リブ３４の先端とにより挟まれるので、背当基板１０より外側方に外れたり、面状部１１ａに弛みが発生したりするのが確実に防止される。
【００８３】
さらに、背当基板１０を基板支持フレーム９に装着すると、側部折り返し部１１ｄの内側方の端部も、背当部材１０の側端部の後面に突設した突条４０の先端(後端)と、基板支持フレーム９における縦杆１３の前面とにより挟まれ、側部折り返し部１１ｄは、内側方と外側方との２箇所で挟圧されるとともに、縦リブ３４によって外側方へのずれが防止されるので、るので、背当基板１０の外側方に一層外れにくくなる。
【００８４】
上部折り返し部１１ｂと下部折り返し部１１ｃは、それらに取付けた伸び止めテープ７０と伸び止め板７１により、左右方向に伸長するのが防止されているので、側部折り返し部１１ｄが押圧された際の張力が、上部折り返し部１１ｂと下部折り返し部１１ｃに伝達されて、それらが同時に伸長してしまう恐れはない。従って、表皮材１１の面状部１１ａが全周に亘ってすぼまるのが防止されるので、面状部１１ａに弛みやしわが発生するのを防止することができる。
また、背当基板１０を、実施形態のように、平面視において左右方向の中央部が後方に突出するようにほぼ円弧状に湾曲する形状とした際に、表皮材１１の面状部１１ａが背当基板１０の前面より過度に離間し、座り心地が悪くなるということもなくなる。
さらに、上部折り返し部１１ｂと下部折り返し部１１ｃが、左右方向に伸長するのが防止されていると、椅子の使用中において表皮材１１の面状部１１ａの上下両端部が着座者の背中により後方に押圧された際に、それらの部分が過度に後方に撓むことがなくなり、背中が快適に支持される。
【００８５】
上部折り返し部１１ｂの後上部の後面には、後面カバー１２の上端部が当接または近接しているので(図５参照)、背当基板１０の後面から後方に離間することはない。
また、下部折り返し部１１ｃに取付けた伸び止め板７１の後面には、基板支持フレーム９の下部連結部１５の前面が近接しているので、伸び止め板７１が背当基板１０の後面から後方に離間することはない。
【００８６】
以上説明したように、上記実施形態の表皮材の取付け方法及び椅子においては、側部折り返し部１１ｄを上下方向に伸縮しうるようにしてあるので、表皮材１１を背当基板１０に容易に装着したり、取り外したりすることができる。
また、側部折り返し部１１ｄの後面を、基板支持フレーム９の両側部の前面により前向きに押圧するだけで、表皮材１１を背当基板１０に緊密に張設することができ、かつ側部折り返し部１１ｄは、基板支持フレーム９の縦リブ３４の先端と、背当基板１０の突条４０とにより挟圧され、外側方にずれたり、背当基板１０から外れたりするのが防止されているので、背当基板１０および表皮材１１に、表皮材１１を係止するための何らの加工等を施したり、緊締用紐や、特別な取付手段等を使用したりする必要がない。
【００８７】
本発明は、上記実施形態のみに限定されるものではなく、特許請求の範囲を逸脱することなく、例えば次のような幾多の変形した態様での実施が可能である。
(１) 本発明の表皮材１１の取付方法を、支持体７の上面により支持された座５の基板や、背凭れの上部に取り付けられるヘッドレスト等の基板(いずれも図示略)に適用する。
座５の基板に適用する際は、座５の基板の前後方向の中間部が、側面視において上面側(表面側)に向かって凸状に屈曲するものとし、この基板の表面(上面)を、上記と同様の表皮材１１の面状部１１ａにより覆うとともに、基板の裏面(下面)の外周端部を折り返し部１１ｂ、１１ｃ、１１ｄにより覆い、基板の左右両側に位置する側部折り返し部１１ｄ、１１ｄの下面を、支持体７の両側部の上面、またはそれと基板との間に設けた基板支持フレーム等の両側部の上面により上向きに押圧すればよい。
(２) 背当基板１０および座の基板の表面にクッション材を設け、このクッション材を覆うようにして、基板に表皮材１１を装着する。
(３) 側部折り返し部１１ｄにおける背当基板１０の屈曲部と対向する部分の後面のみを、基板支持フレーム９の両側部の前面により前向きに押圧する。
(４) 側部折り返し部１１ｄを、リブ３４と突条４０により、上下方向に不連続的に挟圧する。
(５) 背当基板１０の下部を、基板支持フレーム９の下部、すなわち下部連結部１５に、ねじ等の固定手段により取付ける。
この際、下部折り返し部１１ｃおよびそれに取付けた伸び止め板７１を、背当基板１０の後面と基板支持フレーム９の下部連結部１５の前面により挟持するのが好ましい。
(６) 基板支持フレーム９の縦杆１３を、縦リブ３２、３４や凹溝２０のない中実状とし、左右の縦杆１３の前面により側部折り返し部１１ｄ、１１ｄの後面を直接前向きに押圧する。
(７) 面状部１１ａの上縁と下縁に伸縮不能の別の表皮材を固着し、この表皮材を裏面側に折り返すことにより形成した上部折り返し部１１ｂと下部折り返し部１１ｃとを伸縮不能として、伸び止めテープ７０や伸び止め板７１を省略する。
【符号の説明】
【００８８】
１  キャスタ
２  脚
３  支柱
４  脚体
５  座
６  背凭れ
７  支持体
８  背凭れ支持杆
８ａ突条
９  基板支持フレーム
１０  背当基板
１０ａ屈曲部
１１  表皮材
１１ａ面状部
１１ｂ上部折り返し部
１１ｃ下部折り返し部
１１ｄ側部折り返し部
１２  後面カバー
１３  縦杆
１４  上部連結部
１５  下部連結部
１６  傾斜杆
１７  凹部
１８  前壁
１９  ボルト
２０  凹溝
２１  ピン挿入孔
２２  案内溝
２３  貫通孔
２４  貫通孔
２４ａ突片
２５  段付き孔
２６  係合孔
２７  凹入段部
２８  ねじ挿通孔
２９  オプション部材取付孔
３０  位置決め孔
３１  段付き孔
３２  縦リブ
３３  変形許容部
３４  縦リブ
３５  肉抜き凹溝
３６  小孔
３７  差込片
３７ａ突部
３８  ピン挿入孔
３９  弾性係合片
３９ａ係合爪
３９ｂ係合孔
４０  突条
４０ａ切欠き
４１  下向片
４２  後向片
４３  垂下片
４４  係合片
４４ａ前向き片
４５、４６、４６、４７、４８  ボス挿通孔
４９  当て板
５０、５１、５２、５３  ボス
５４  ピン
５５  止めねじ
５６  雌ねじ孔
５７  連結杆
５９、６０  前向き片
６１  垂下片
６２  嵌合突部
６３  係合突部
６３ａ係止爪
６４  凹入段部
６５  ねじ挿通孔
６６  オプション部材取付孔
６７  止めねじ
６８  雌ねじ孔
６９  キャップ
７０  伸び止めテープ
７１  伸び止め板
７２  ゴムバンド
【図１】
2014018600.tif 000003
【図２】
2014018600.tif 000004
【図３】
2014018600.tif 000005
【図４】
2014018600.tif 000006
【図５】
2014018600.tif 000007
【図６】
2014018600.tif 000008
【図７】
2014018600.tif 000009
【図８】
2014018600.tif 000010
【図９】
2014018600.tif 000011
【図１０】
2014018600.tif 000012
【図１１】
2014018600.tif 000013
【図１２】
2014018600.tif 000014
【図１３】
2014018600.tif 000015
【図１４】
2014018600.tif 000016